(57)【要約】      （修正有）【課題】文字または語の入力を終了するために入力終了キーを押下した後に、入力された先のテキストに従って次のテキストを関連付け、入力効率が高める方法の提供。【解決手段】入力モジュールによって送られた入力終了表示情報を受信するステップと、カーソルの位置から前の、その文字またはその語が識別される前に入力された第1の句読点までの入力された文字または入力された語を識別するステップと、識別された文字または識別された語を先のテキストとして使用し、前記先のテキストに関連する次のテキストに関してワードライブラリに問い合わせるステップと、関連する次のテキストを表示のためにディスプレイモジュールに出力するステップとを含む。ユーザが文字または語の入力を終了するために入力終了キー、例えば、スペースキーを押下した後に、入力された先のテキストに従って次のテキストを関連付けることができ、その結果、入力効率が高まる。【選択図】図１
2013218676.tif 000002
【特許請求の範囲】
【請求項１】
文字または語の入力が終了することを示す、入力モジュールによって送られた入力終了表示情報を受信するステップと、
カーソルの位置を取得するステップと、
前記カーソルの前記位置から前の、前記文字または前記語が識別される前に入力された第1の句読点までの前記入力された文字または前記入力された語を識別するステップと、
前記識別された文字または前記識別された語を先のテキストとして使用して、前記先のテキストに関連する次のテキストに関してワードライブラリに問い合わせるステップと、
前記関連する次のテキストを表示のためにディスプレイモジュールに出力するステップと
を含む入力方法。
【請求項２】
前記先のテキストに関連する次のテキストに関してワードライブラリに前記問い合わせるステップが、
前記先のテキストを含むすべての表現および文に関して前記ワードライブラリに問い合わせて、見出された前記表現および文の中に存在するが、前記先のテキスト内には存在しない表現または文を次のテキストとして使用するステップを含む、請求項1に記載の入力方法。
【請求項３】
前記先のテキストに関連する次のテキストに関してワードライブラリに前記問い合わせるステップが、
入力順序および頻繁に使用される語に従って、前記先のテキストをグループ化して、文字または語の最後に入力されたグループをインデックスとして使用するステップと、
前記インデックスを含む表現および文に関して前記ワードライブラリに問い合わせて、見出された前記表現および文の中に存在するが、前記インデックス内には存在しない表現または文を次のテキストとして使用するステップを含む、請求項1に記載の入力方法。
【請求項４】
文字または語の入力が終了することを示す入力終了表示情報を受信するように構成された受信ユニットと、
前記受信ユニットが前記入力終了表示情報を受信した後に、カーソルの位置を取得するように構成された取得ユニットと、
前記取得ユニットによって取得された前記カーソルの前記位置から前の、前記文字または前記語が識別される前に入力された第1の句読点までの前記入力された文字または前記入力された語を識別するように構成された識別ユニットと、
前記識別ユニットによって識別された前記文字または前記語を先のテキストとして使用して、前記先のテキストに関連する次のテキストに関してワードライブラリに問い合わせるように構成された問合せユニットと、
前記問合せユニットによって見出され、前記先のテキストに関連する前記次のテキストを表示するためにディスプレイモジュールに出力するように構成された出力ユニットと
を含む入力装置。
【請求項５】
前記問合せユニットが、詳細には、前記先のテキストを含むすべての表現および語に関して前記ワードライブラリに問い合わせて、見出された前記表現および文の中に存在するが、前記先のテキスト内には存在しない表現または文を次のテキストとして使用するように構成された
請求項4に記載の入力装置。
【請求項６】
入力順序および頻繁に使用される語に従って、前記先のテキストをグループ化して、文字または語の最後に入力されたグループをインデックスとして使用するように構成されたグループ化ユニット
をさらに含み、
前記問合せユニットが、詳細には、前記グループ化ユニットによって判断された前記インデックスを含む表現および文に関して前記ワードライブラリに問い合わせて、見出された前記表現および文の中に存在するが、前記インデックス内には存在しない表現または文を次のテキストとして使用するように構成された、請求項4に記載の入力装置。
【請求項７】
入力装置と、入力モジュールと、ディスプレイモジュールとを含む端末であって、
前記入力モジュールが、文字または語の入力が終了することを示す、文字または語の入力終了表示情報を前記入力装置に入力し、
前記入力装置が、前記文字または前記語の前記入力終了表示情報を受信した後に、カーソルの位置を取得して、前記カーソルの前記位置から前の、前記文字または前記語が識別される前に入力された第1の句読点までの前記入力された文字または前記入力された語を識別し、前記識別された文字または前記識別された語を先のテキストとして使用して、前記先のテキストに関連する次のテキストに関してワードライブラリに問い合わせ、前記関連する次のテキストを出力し、
前記ディスプレイモジュールが、入力のためにユーザが選択するために、前記入力装置によって入力された前記次のテキストを表示する端末。
【発明の詳細な説明】
【技術分野】
【０００１】
本発明は、通信技術の分野に関し、詳細には、入力方法、入力装置、および端末に関する。
【背景技術】
【０００２】
現在、すべての中国語入力方法は、ユーザが文字を入力するとき、頻繁に使用される語に従ってだけ関連付けを行うことが可能である。例えば、我々が、Sogouピンイン(pinyin)入力方法を使用して文字「lianx」を入力するとき、この入力方法は、
【０００３】
【数１】
2013218676.tif 000003
【０００４】
および
【０００５】
【数２】
2013218676.tif 000004
【０００６】
などの語を自動的に表示することができ、それによって、入力を円滑にする。我々が文字を入力しないとき、カーソルはファイル内のいずれかの場所に配置される。
【０００７】
中国語/英語の入力方法は、ユーザが文字を入力するとき、社会的に話題の表現、スポーツ用語、および頻繁に使用される情報語に従って語を関連付けるために使用可能であり、これはタイピングを加速して、入力効率を高めることができる。しかし、この関連付け方法は、ピンイン文字が入力されるときだけ使用される。
【０００８】
先行技術の調査および実施の間、本発明の発明者は、先行技術の入力方法は、文字が入力されるときだけ、関連する表現を関連付けることができることを発見した。ユーザが文字または語の入力を終了するために、入力終了キー、例えば、スペースキーを押下すると、関連付けは行われない。
【発明の概要】
【課題を解決するための手段】
【０００９】
本発明の実施形態は、ユーザが文字または語の入力を終了するために入力終了キーを押下した後に、ユーザが選択するために、入力された先のテキストに従って次のテキストを関連付けることができ、その結果、入力効率が高まる入力方法を提供する。本発明の実施形態は、入力装置および端末も提供する。
【００１０】
入力方法は、
文字または語の入力が終了することを示す、入力モジュールによって送られた入力終了表示情報を受信するステップと、
カーソルの位置を取得するステップと、
カーソルの位置から前の、その文字またはその語が識別される前に入力された第1の句読点までの入力された文字または入力された語を識別するステップと、
識別された文字または識別された語を先のテキストとして使用して、先のテキストに関連する次のテキストに関してワードライブラリ(word library)に問い合わせるステップと、
その関連する次のテキストを表示のためにディスプレイモジュールに出力するステップとを含む。
【００１１】
入力装置は、
文字または語の入力が終了することを示す入力終了表示情報を受信するように構成された受信ユニットと、
受信ユニットが入力終了表示情報を受信した後に、カーソルの位置を取得するように構成された取得ユニットと、
取得ユニットによって取得されたカーソルの位置から前の、その文字またはその語が識別される前に入力された第1の句読点までの入力された文字または入力された語を識別するように構成された識別ユニットと、
識別ユニットによって識別された文字または識別された語を先のテキストとして使用して、先のテキストに関連する次のテキストに関してワードライブラリに問い合わせるように構成された問合せユニットと、
問合せユニットによって見出され、先のテキストに関連する次のテキストを表示するためにディスプレイモジュールに出力するように構成された出力ユニットとを含む。
【００１２】
端末は、入力装置と、入力モジュールと、ディスプレイモジュールとを含み、
入力モジュールは、その文字またはその語の入力が終了することを示す、文字または語の入力終了表示情報を入力装置に入力し、
入力装置は、その文字またはその語の入力終了表示情報を受信した後に、カーソルの位置を取得して、カーソルの位置から前の、その文字またはその語が識別される前に入力された第1の句読点までの入力された文字または入力された語を識別し、識別された文字または識別された語を先のテキストとして使用して、先のテキストに関連する次のテキストに関してワードライブラリに問い合わせ、関連する次のテキストを出力し、
ディスプレイモジュールは、入力のためにユーザが選択するために、入力装置によって入力された次のテキストを表示する。
【００１３】
本発明の実施形態では、文字または語の入力が終了することを示す、入力モジュールによって送られた入力終了表示情報を受信して、カーソルの位置を取得して、カーソルの位置から前の、第1の句読点が識別されるまでの入力された文字または入力語を識別し、識別された文字または識別された語を先のテキストとして使用して、先のテキストに関連する次のテキストに関してワードライブラリに問い合わせ、関連する次のテキストを表示のためにディスプレイモジュールに出力する。先行技術と比較して、本発明の実施形態で提供される入力方法は、ユーザが文字または語の入力を終了するために入力終了キー、例えば、スペースキーを押下した後に、ユーザが選択するために、入力された先のテキストに従って次のテキストを関連付けることができ、その結果、入力効率が高まる。
【図面の簡単な説明】
【００１４】
【図１】本発明のある実施形態による入力方法のある実施形態の概略図である。
【図２】本発明のある実施形態による入力装置のある実施形態の概略図である。
【図３】本発明のある実施形態による入力装置の別の実施形態の概略図である。
【図４】本発明のある実施形態による端末のある実施形態の概略図である。
【発明を実施するための形態】
【００１５】
本発明のある実施形態は、ユーザが文字または語の入力を終了するために入力終了キー、例えば、スペースキーを押下した後に、ユーザが選択するために、入力された先のテキストに従って次のテキストを関連付けることができ、その結果、入力効率が高まる入力方法を提供する。本発明のある実施形態は、入力装置および端末も提供する。これらの実施形態は、それぞれ、下で詳細に説明される。
【００１６】
図1を参照すると、本発明のある実施形態で提供される入力方法のある実施形態は、以下を含む。
【００１７】
101。入力装置は、文字または語の入力が終了することを示す、入力モジュールによって送られた入力終了表示情報を受信する。
【００１８】
入力モジュールは、入力機能を有するモジュール、例えば、コンピュータキーボード、ハンドセットキーなどであってよい。
【００１９】
入力終了表示情報は、入力終了キー、例えば、スペースキーなどを押下することによって、ユーザによって実施される。入力装置が入力終了表示情報を受信する場合、それは先に入力された文字または入力された語の入力が完了したことを意味する。中国語入力方法の入力終了表示情報と英語入力方法の入力終了表示情報は同じであり、ユーザがスペースキーまたは句読点キーを押下するとき、入力終了表示情報が送られる。
【００２０】
102。カーソルの位置を取得する。
【００２１】
先行技術の入力方法は、文字が入力されるときだけ、頻繁に使用される語に従って関連付けを行うことが可能である。例えば、我々がSogouピンイン入力方法を使用することによって、文字「lianx」を入力するとき、入力方法は、
【００２２】
【数３】
2013218676.tif 000005
【００２３】
および
【００２４】
【数４】
2013218676.tif 000006
【００２５】
などの語などを自動的に表示することができる。文字の入力が完了するとき、例えば、語
【００２６】
【数５】
2013218676.tif 000007
【００２７】
が入力されるとき、カーソルは、語
【００２８】
【数６】
2013218676.tif 000008
【００２９】
の後に配置され、ユーザが文字を再度入力するまで、入力方法は何も表示しない。
【００３０】
本発明の実施形態で提供される入力方法を使用することによって、ユーザが文字または語の入力を終了するために、入力終了キー、例えば、スペースキーを押下するとき、入力された先のテキストに従って次のテキストを関連付けることができ、すなわち、カーソルが文字または語の後に配置されるとき、この入力方法を使用して、入力された文字もしくは入力された語に関連する表現または文を関連付けることができ、例えば、表現
【００３１】
【数７】
2013218676.tif 000009
【００３２】
が入力されて、カーソルが、語
【００３３】
【数８】
2013218676.tif 000010
【００３４】
の後に配置されるとき、本発明の実施形態で提供される入力方法は、表現
【００３５】
【数９】
2013218676.tif 000011
【００３６】
を関連付けることができる。このように、ユーザは、何の文字も入力する必要なしに、表示された
【００３７】
【数１０】
2013218676.tif 000012
【００３８】
を直接的に選択することができる。
【００３９】
入力装置の場合、ユーザが入力モジュールを使用することによって、文字または語の入力終了表示情報を入力した後に、入力装置はカーソルの位置を取得し始める。
【００４０】
103。カーソルの位置から前の、その文字またはその語が識別される前に入力された第1の句読点までの入力された文字または入力された語を識別する。
【００４１】
先のテキストに従って次のテキストを関連付ける必要があり、先のテキスト内容の範囲をまず判断する必要があり、本発明の実施形態で提供される先のテキスト内容は、カーソルの位置から始まり、識別された第1の句読点までの内容区分を指す。例えば、入力文字が
【００４２】
【数１１】
2013218676.tif 000013
【００４３】
を含み、カーソルが、語
【００４４】
【数１２】
2013218676.tif 000014
【００４５】
の後か、またはコンマ「、」の後に配置されるとき、この方法によれば、ステップ101で、カーソルが、語
【００４６】
【数１３】
2013218676.tif 000015
【００４７】
の後、またはコンマ「、」の後に配置されることがまず判断され、次いで、カーソルの位置から前の、それらの文字またはそれらの語が識別される前に入力されたコロン「:」までの入力された文字が識別されて、
【００４８】
【数１４】
2013218676.tif 000016
【００４９】
の識別された内容区分を先のテキスト内容として使用する。
【００５０】
中国語の例だけがここで提供されている。実際には、英語も入力可能であり、例えば、「teacher said: good good study」が入力され、カーソルがコンマ「、」の後に隣接する位置に配置された場合、「good good study」は先のテキストとして使用可能であり、その結果、対応する次のテキストが関連付けられる。
【００５１】
104。識別された文字または識別された語を先のテキストとして使用して、その先のテキストに関連する次のテキストに関してワードライブラリに問い合わせる。
【００５２】
ステップ103で、カーソルの位置から始まり、その文字またはその語が識別される前に入力された第1の句読点までの文字または語の区分を識別し、識別された文字または識別された語を先のテキストとして使用して、先のテキストに関連する次のテキストに関してワードライブラリに問い合わせる。特定の問合せ解決策は、以下を含む。
先のテキストを含めて、すべての表現および文に関してワードライブラリに問い合わせ、見出された表現および文の中に存在するが、先のテキスト内には存在しない表現または文を次のテキストとして使用する。例えば、先のテキストが
【００５３】
【数１５】
2013218676.tif 000017
【００５４】
である場合、
【００５５】
【数１６】
2013218676.tif 000018
【００５６】
を含む文は、詩
【００５７】
【数１７】
2013218676.tif 000019
【００５８】
内の一節、すなわち、
【００５９】
【数１８】
2013218676.tif 000020
【００６０】
であることを見出すことができる。このように、カーソルが、語
【００６１】
【数１９】
2013218676.tif 000021
【００６２】
の後に配置されるとき、先のテキストに関連する次のテキストは
【００６３】
【数２０】
2013218676.tif 000022
【００６４】
であることが判断され、カーソルがコンマ「、」の後に配置されるとき、次のテキストは
【００６５】
【数２１】
2013218676.tif 000023
【００６６】
であることが判断される。
【００６７】
先のテキストが「good good study」であるとき、「good good study」を含む文は「good good study, day day up」であることを見出すことができ、カーソルがコンマ「、」の後に配置されるとき、先のテキストに関連する次のテキストは「day day up」である。
【００６８】
前述の解決策で示された例は、特別であり、すなわち、この例は、全文を関連付けることが可能な詩である。実際には、先のテキスト全体に基づいて問い合わせて、関連付けるために、語の入力区分を使用する必要がない場合があり、例えば、入力された先のテキストが
【００６９】
【数２２】
2013218676.tif 000024
【００７０】
であり、カーソルが語
【００７１】
【数２３】
2013218676.tif 000025
【００７２】
の後に配置される場合、前述の解決策によれば、先のテキスト
【００７３】
【数２４】
2013218676.tif 000026
【００７４】
を含む表現または文は存在しない可能性がある。このとき、次のテキストは関連付けられない可能性がある。この場合、本発明の実施形態は、別の関連付け解決策も提供する。具体的な詳細は以下の通りである。
【００７５】
入力された文および頻繁に使用される語に従って先のテキストをグループ化して、文字または語の最後に入力されたグループをインデックスとして使用して、そのインデックスを含む表現および文に関してワードライブラリに問い合わせ、見出された表現および文の中に存在するが、そのインデックス内には存在しない表現または文を次のテキストとして使用する。入力時間順序に従って最後に入力されたグループが、カーソルの位置に最も近いグループである。
【００７６】
例えば、この解決策によれば、先のテキストは、
【００７７】
【数２５】
2013218676.tif 000027
【００７８】
であり、これは、入力時間順序に従って、2つのグループ、すなわち、
【００７９】
【数２６】
2013218676.tif 000028
【００８０】
および
【００８１】
【数２７】
2013218676.tif 000029
【００８２】
に分割可能であり、
【００８３】
【数２８】
2013218676.tif 000030
【００８４】
は最後の入力グループである。この場合、グループ
【００８５】
【数２９】
2013218676.tif 000031
【００８６】
はカーソルの位置に最も近いグループであり、
【００８７】
【数３０】
2013218676.tif 000032
【００８８】
を
【００８９】
【数３１】
2013218676.tif 000033
【００９０】
を含む表現および文に関して問い合わせるためのインデックスとして使用して、
【００９１】
【数３２】
2013218676.tif 000034
【００９２】
などの表現を容易に見出すことができる。このように、この解決策によれば、
【００９３】
【数３３】
2013218676.tif 000035
【００９４】
を、インデックス
【００９５】
【数３４】
2013218676.tif 000036
【００９６】
の次のテキストとして使用することができる。
【００９７】
105。関連する次のテキストを表示のためにディスプレイモジュールに出力する。
【００９８】
ステップ104で、複数の次のテキストを関連付けることができる。例えば、先のテキストが
【００９９】
【数３５】
2013218676.tif 000037
【０１００】
であるとき、関連する次のテキストは、
【０１０１】
【数３６】
2013218676.tif 000038
【０１０２】
および
【０１０３】
【数３７】
2013218676.tif 000039
【０１０４】
など、一連の表現を含む可能性がある。入力装置は、表示のために、これらの表現をディスプレイモジュール、例えば、ディスプレイスクリーンに出力する。このとき、ユーザは、ピンインまたは語を入力する必要なしに、実際のニーズに従って、関連する次のテキストを直接的に選択することができ、それによって、入力方法の入力効率を高める。
【０１０５】
本発明の実施形態では、文字または語の入力が終了することを示す、入力モジュールによって送られた入力終了表示情報を受信して、カーソルの位置を取得して、カーソルの位置から前の、第1の句読点が識別されるまでの入力された文字または入力語を識別し、識別された文字または識別された語を先のテキストとして使用して、先のテキストに関連する次のテキストに関してワードライブラリに問い合わせ、関連する次のテキストを表示のためにディスプレイモジュールに出力する。先行技術と比較して、本発明の実施形態で提供される入力方法によれば、ユーザが文字または語の入力を終了するために入力終了キー、例えば、スペースキーを押下した後に、ユーザが選択するために、入力された先のテキストに従って次のテキストを関連付けることができ、その結果、入力効率が高まる。
【０１０６】
図2を参照すると、本発明のある実施形態で提供される入力装置のある実施形態は、以下、すなわち、
文字または語の入力が終了することを示す、入力モジュールによって送られた入力終了表示情報を受信するように構成された受信ユニット201と、
受信ユニット201が入力終了表示情報を受信した後に、カーソルの位置を取得するように構成された取得ユニット202と、
取得ユニット202によって取得されたカーソルの位置から前の、その文字またはその語が識別される前に入力された第1の句読点までの入力された文字または入力された語を識別するように構成された識別ユニット203と、
識別ユニット202によって識別された文字または識別された語を先のテキストとして使用して、先のテキストに関連する次のテキストに関してワードライブラリに問い合わせるように構成された問合せユニット204と、
問合せユニット204によって見出され、先のテキストに関連付けられた次のテキストを表示するためにディスプレイモジュールに出力するように構成された出力ユニット205とを含む。
【０１０７】
本発明の実施形態では、受信ユニット201は、文字または語の入力が終了することを示す、入力モジュールによって送られた入力終了表示情報を受信し、受信ユニット201が入力終了表示情報を受信した後に、取得ユニット202はカーソルの位置を取得し、識別ユニット203は、取得ユニット202によって取得されたカーソルの位置から前の、その文字またはその語が識別される前に入力された第1の句読点までの入力された文字または入力された語を識別し、問合せユニット204は、識別ユニット202によって識別された文字または識別された語を先のテキストとして使用して、先のテキストに関連する次のテキストに関してワードライブラリに問い合わせ、出力ユニット205は、問合せユニット204によって見出され、先のテキストに関連する次のテキストを表示するためにディスプレイモジュールに出力する。本発明の実施形態で提供される入力装置は、ユーザが文字または語の入力を終了するために入力終了キー、例えば、スペースキーを押下した後に、ユーザが選択するために、入力された先のテキストに従って次のテキストを関連付けることができ、その結果、入力効率が高められる。
【０１０８】
図2に例示される実施形態に基づいて、本発明のある実施形態で提供される入力装置の別の実施形態では、
問合せユニット204は、詳細には、先のテキストを含むすべての表現および文に関してワードライブラリに問い合わせて、見出された表現および文の中に存在するが、先のテキスト内には存在しない表現または文を次のテキストとして使用するように構成される。
【０１０９】
図3を参照すると、図2に例示される実施形態に基づいて、本発明のある実施形態で提供される入力装置の別の実施形態は、
入力順序および頻繁に使用される語に従って、先のテキストをグループ化して、文字または語の最後に入力されたグループをインデックスとして使用するように構成されたグループ化ユニット206を含み、
問合せユニット204は、詳細には、グループ化ユニット206によって判断されたインデックスを含む表現および文に関してワードライブラリに問い合わせて、見出された表現および文の中に存在するが、そのインデックス内には存在しない表現または文を次のテキストとして使用するように構成される。
【０１１０】
本発明の実施形態で提供される入力装置は、ユーザが文字または語の入力を終了するために入力終了キーを押下した後に、ユーザが選択するために、入力された先のテキストに従って次のテキストを関連付けることができ、その結果、入力効率が高められる。
【０１１１】
本発明の実施形態で提供される入力装置では、受信ユニット、取得ユニット、識別ユニット、問合せユニット、出力ユニット、およびグループ化ユニットは、プロセッサの一部であってよい。これらのユニットの機能は、プロセッサによって実行可能である。
【０１１２】
本発明の実施形態で提供される入力装置は、プロセッサであってよい。
【０１１３】
図4を参照すると、本発明のある実施形態は端末も提供する。本発明の実施形態で提供される端末は、入力装置20と、入力モジュール10と、ディスプレイモジュール30とを含む。
【０１１４】
入力モジュール10は、文字または語の入力終了表示情報を入力装置に入力するように構成され、入力終了表示情報は、文字または語の入力が終了することを示す。
【０１１５】
入力装置20は、文字または語の入力終了表示情報を受信した後に、カーソルの位置を取得し、カーソルの位置から前の、その文字またはその語が識別される前に入力された第1の句読点までの入力された文字または入力された語を識別し、識別された文字または識別された語を先のテキストとして使用して、先のテキストに関連する次のテキストに関してワールドライブラリに問い合わせ、関連する次のテキストを出力するように構成される。
【０１１６】
ディスプレイモジュール30は、入力のためにユーザが選択するために、入力装置によって入力された次のテキストを表示するように構成される。
【０１１７】
本発明の実施形態で提供される端末は、ユーザが文字または語の入力を終了するために入力終了キーを押下した後に、ユーザが選択するために、入力された先のテキストに従って次のテキストを関連付けることができ、その結果、入力効率が高まる。
【０１１８】
本発明の実施形態で提供される端末は、ハンドセット、携帯用コンピュータ、およびデスクトップコンピュータなどのデバイスに限定されない。本発明の実施形態で提供される入力方法は、中国語入力方法または英語入力方法に限定されない。
【０１１９】
前述の実施形態の方法のステップのすべてまたは一部は、関連するハードウェアに命令するコンピュータプログラムによって実施可能である点を当業者は理解されよう。このプログラムは、コンピュータ可読記憶媒体内に記憶されうる。記憶媒体は、ROM、RAM、磁気ディスク、または光ディスクなどを含むことが可能である。
【０１２０】
本発明の実施形態で提供される入力方法、入力装置、および端末は、前述の説明で詳細に紹介されている。本発明の原理および実装様式を例示するために、特定の例が使用されている。これらの実施形態の前述の説明は、本発明の方法および核となる発想を理解するのを助けるために単に使用される。その一方で、当業者は、本発明の発想に従って、特定の実施様式および適用範囲に修正を行うことが可能である。結論として、本明細書の内容は、本発明に対する限定と解釈されるべきではない。
【符号の説明】
【０１２１】
10  入力モジュール
20  入力装置
30  ディスプレイモジュール
201  受信ユニット
202  取得ユニット
203  識別ユニット
204  問合せユニット
205  出力ユニット
206  グループ化ユニット
【図１】
2013218676.tif 000040
【図２】
2013218676.tif 000041
【図３】
2013218676.tif 000042
【図４】
2013218676.tif 000043
【手続補正書】
【提出日】平成25年4月11日(2013.4.11)
【手続補正１】
【補正対象書類名】特許請求の範囲
【補正対象項目名】全文
【補正方法】変更
【補正の内容】
【特許請求の範囲】
【請求項１】
文字または語の入力が終了することを示す、入力モジュールによって送られた入力終了表示情報を受信するステップと、
カーソルの位置を取得するステップと、
前記カーソルの前記位置から前の、前記文字または前記語が識別される前に入力された第1の句読点までの前記入力された文字または前記入力された語を識別するステップと、
前記識別された文字または前記識別された語を先のテキストとして使用して、前記先のテキストに関連する次のテキストに関してワードライブラリに問い合わせるステップと、
前記関連する次のテキストを表示のためにディスプレイモジュールに出力するステップと
を含む入力方法。
【請求項２】
前記先のテキストに関連する次のテキストに関してワードライブラリに前記問い合わせるステップが、
前記先のテキストを含むすべての表現および文に関して前記ワードライブラリに問い合わせて、見出された前記表現および文の中に存在するが、前記先のテキスト内には存在しない表現または文を次のテキストとして使用するステップを含む、請求項1に記載の入力方法。
【請求項３】
前記先のテキストに関連する次のテキストに関してワードライブラリに前記問い合わせるステップが、
入力順序および頻繁に使用される語に従って、前記先のテキストをグループ化して、文字または語の最後に入力されたグループをインデックスとして使用するステップと、
前記インデックスを含む表現および文に関して前記ワードライブラリに問い合わせて、見出された前記表現および文の中に存在するが、前記インデックス内には存在しない表現または文を次のテキストとして使用するステップを含む、請求項1に記載の入力方法。
【請求項４】
文字または語の入力が終了することを示す入力終了表示情報を受信するように構成された受信ユニットと、
前記受信ユニットが前記入力終了表示情報を受信した後に、カーソルの位置を取得するように構成された取得ユニットと、
前記取得ユニットによって取得された前記カーソルの前記位置から前の、前記文字または前記語が識別される前に入力された第1の句読点までの前記入力された文字または前記入力された語を識別するように構成された識別ユニットと、
前記識別ユニットによって識別された前記文字または前記語を先のテキストとして使用して、前記先のテキストに関連する次のテキストに関してワードライブラリに問い合わせるように構成された問合せユニットと、
前記問合せユニットによって見出され、前記先のテキストに関連する前記次のテキストを表示するためにディスプレイモジュールに出力するように構成された出力ユニットと
を含む入力装置。
【請求項５】
前記問合せユニットが、詳細には、前記先のテキストを含むすべての表現および語に関して前記ワードライブラリに問い合わせて、見出された前記表現および文の中に存在するが、前記先のテキスト内には存在しない表現または文を次のテキストとして使用するように構成された
請求項4に記載の入力装置。
【請求項６】
入力順序および頻繁に使用される語に従って、前記先のテキストをグループ化して、文字または語の最後に入力されたグループをインデックスとして使用するように構成されたグループ化ユニット
をさらに含み、
前記問合せユニットが、詳細には、前記グループ化ユニットによって判断された前記インデックスを含む表現および文に関して前記ワードライブラリに問い合わせて、見出された前記表現および文の中に存在するが、前記インデックス内には存在しない表現または文を次のテキストとして使用するように構成された、請求項4に記載の入力装置。
【請求項７】
入力装置と、入力モジュールと、ディスプレイモジュールとを含む端末であって、
前記入力モジュールが、文字または語の入力が終了することを示す、文字または語の入力終了表示情報を前記入力装置に入力し、
前記入力装置が、前記文字または前記語の前記入力終了表示情報を受信した後に、カーソルの位置を取得して、前記カーソルの前記位置から前の、前記文字または前記語が識別される前に入力された第1の句読点までの前記入力された文字または前記入力された語を識別し、前記識別された文字または前記識別された語を先のテキストとして使用して、前記先のテキストに関連する次のテキストに関してワードライブラリに問い合わせ、前記関連する次のテキストを出力し、
前記ディスプレイモジュールが、入力のためにユーザが選択するために、前記入力装置によって入力された前記次のテキストを表示する端末。
【請求項８】
プログラムが記録されたコンピュータ可読記憶媒体であって、前記プログラムがコンピュータに請求項1から3のいずれかの方法を実行させる、コンピュータ可読記憶媒体。
【外国語明細書】
2013218676000001.pdf